(57)【要約】【課題】簡便な構造であり、かつ非入浴時および入浴時にかかわらず、優れた保温性を発揮することができる浴槽用保温シートを提供すること。【解決手段】本考案に係る浴槽用保温シート１は、浮遊性素材で形成されたシート本体１１を含み、シート本体１１が浴槽内の湯面を浮遊して覆う大きさを有しており、入浴時に頭部を露出するための露出部１２がシート本体１１に少なくとも１ヶ所設けられている。【選択図】図１
0003219615.tif 000002
【実用新案登録請求の範囲】
【請求項１】
浮遊性素材で形成されたシート本体を含み、シート本体が浴槽内の湯面を浮遊して覆う大きさを有しており、入浴時に頭部を露出するための露出部がシート本体に少なくとも１ヶ所設けられていることを特徴とする浴槽用保温シート。
【請求項２】
前記浮遊性素材が、プラスチック発泡体、プラスチックシート、不織布シートおよび耐水加工された紙からなる群より選択される少なくとも１種である請求項１に記載の浴槽用保温シート。
【請求項３】
前記シート本体の少なくとも１ヶ所に、折り曲げ部が形成されている請求項１または２に記載の浴槽用保温シート。
【請求項４】
前記シート本体の少なくとも一方の主面に、軟質素材で形成された軟質性シートがさらに積層されている請求項１〜３のいずれかに記載の浴槽用保温シート。
【請求項５】
前記浴槽内の湯面との接触面に、アルミ加工が施されている請求項１〜４のいずれかに記載の浴槽用保温シート。
【考案の詳細な説明】
【技術分野】
【０００１】
本考案は、浴槽用保温シートに関する。
【背景技術】
【０００２】
入浴する際、浴槽内の湯の温度が４０〜４２℃程度の場合に、人間は快適であると感じることが多い。しかし、快適に感じる温度範囲が２℃程度であり、浴槽内の湯を快適な温度に保つのは難しい。浴槽内の湯を保温するために、浴槽を覆う浴槽蓋や浴槽内の湯面に浮遊させる保温シートなどが存在している（例えば、特許文献１および２）。さらに、入浴時にも浴槽内の湯の放熱を抑制するため、浴槽内に入った際に頭部を露出させた状態で、浴槽を覆うことができる浴槽蓋が開示されている（例えば、特許文献３）。
【先行技術文献】
【特許文献】
【０００３】
【特許文献１】実全昭６０−１０５４９１号公報
【特許文献２】特開昭５９−５７６２３号公報
【特許文献３】実用新案登録第３１７５１３８号公報
【考案の概要】
【考案が解決しようとする課題】
【０００４】
特許文献１および２に記載の保温シートおよび浴槽蓋は、保温性を発揮するために蓄熱材を含んでいる。このような蓄熱材を使用した保温シートは構造が大掛かりで高価である。さらに、特許文献２および３に記載の浴槽蓋のように、湯面と接触しない浴槽蓋は、湯面と浴槽蓋との空間（空気層）を保温する。そのため、湯自体の保温性は、湯面に接触させるタイプの保温シートと比べて乏しくなる。
【０００５】
本考案の課題は、簡便な構造であり、かつ非入浴時および入浴時にかかわらず、優れた保温性を発揮することができる浴槽用保温シートを提供することである。
【課題を解決するための手段】
【０００６】
本考案者は、上記課題を解決するべく鋭意検討を行った結果、以下の構成からなる解決手段を見出し、本考案を完成するに至った。
（１）浮遊性素材で形成されたシート本体を含み、シート本体が浴槽内の湯面を浮遊して覆う大きさを有しており、入浴時に頭部を露出するための露出部がシート本体に少なくとも１ヶ所設けられていることを特徴とする浴槽用保温シート。
（２）浮遊性素材が、プラスチック発泡体、プラスチックシート、不織布シートおよび耐水加工された紙からなる群より選択される少なくとも１種である上記（１）に記載の浴槽用保温シート。
（３）シート本体の少なくとも１ヶ所に、折り畳み部が形成されている上記（１）または（２）に記載の浴槽用保温シート。
（４）シート本体の少なくとも一方の主面に、軟質素材で形成された軟質性シートがさらに積層されている上記（１）〜（３）のいずれかに記載の浴槽用保温シート。
（５）浴槽内の湯面との接触面に、アルミ加工が施されている上記（１）〜（４）のいずれかに記載の浴槽用保温シート。
【考案の効果】
【０００７】
本考案に係る浴槽用保温シートによれば、簡便な構造であり、かつ非入浴時および入浴時にかかわらず、優れた保温性を発揮することができる。さらに、本考案に係る浴槽用保温シートは、優れた保温性を発揮するため、追い焚きの必要性も少なくなり、省エネや光熱費の削減にも貢献できる。
【図面の簡単な説明】
【０００８】
【図１】本考案の一実施形態に係る浴槽用保温シートを示す模式図であり、（Ａ）は上面図を示し、（Ｂ）は（Ａ）のＸ方向から見た側面図を示し、（Ｃ）は浴槽用保温シートを折り曲げた状態の側面図を示す。
【図２】図１に示す浴槽用保温シートの変形例を示す模式図である。
【図３】本考案の他の実施形態に係る浴槽用保温シートを示す模式図であり、（Ａ）は上面図を示し、（Ｂ）は（Ａ）のＹ方向から見た側面図を示し、（Ｃ）は浴槽用保温シートを折り曲げた状態の側面図を示す。
【図４】本考案のさらに他の実施形態に係る浴槽用保温シートを示す模式図であり、（Ａ）は上面図を示し、（Ｂ）は（Ａ）のＺ方向から見た側面図を示し、（Ｃ）は浴槽用保温シートを折り曲げた状態の側面図を示す。
【考案を実施するための形態】
【０００９】
本考案に係る浴槽用保温シートは、浮遊性素材で形成されたシート本体を含み、シート本体が浴槽内の湯面を浮遊して覆う大きさを有しており、入浴時に頭部を露出するための露出部がシート本体に少なくとも１ヶ所設けられている。以下、本考案に係る浴槽用保温シートについて、図１〜４を参照して説明する。
【００１０】
本考案の一実施形態に係る浴槽用保温シートを図１に示す。図１（Ａ）に示す浴槽用保温シート１は、浮遊性素材で形成されたシート本体１１で形成されている。浮遊性素材は、浴槽の湯面に浮く素材であれば限定されず、例えば、プラスチック発泡体、プラスチックシート、不織布シート、耐水加工された紙などが挙げられ、さらにそれらの複合体でもよい。これらの中でも、断熱性を有する素材が好ましく、具体的には、ポリエチレン、ポリプロピレン、ポリスチレン、ポリウレタンなどの発泡体や、ポリエチレン、ポリプロピレン、ポリエステル、ポリスチレン、ナイロン、塩化ビニルなどで形成されたプラスチックシート、ポリエチレン、レーヨンなどで形成された不織布シートなどが挙げられる。
【００１１】
浮遊性素材としてプラスチック発泡体を使用する場合、プラスチック発泡体に含まれる気泡は限定されない。断熱性や浮遊性を考慮すると、主として独立気泡を含むプラスチック発泡体が好ましい。
【００１２】
図１（Ａ）に示すように、シート本体１１には、入浴時に頭部を露出するための露出部１２が形成されている。露出部１２は、シート本体１１に少なくとも１ヶ所設けられていればよい。例えば、図１（Ａ）に示すように、露出部１２は、シート本体１１に１ヶ所のみに設けられていてもよく、図２（Ａ）に示すように、２ヶ所以上設けられていてもよい。
【００１３】
非入浴時には、露出部１２を塞ぐ必要があるため、露出部１２とほぼ同じ形状を有する蓋部１３が設けられている。蓋部１３はシート本体１１と同じ素材で形成されている。通常、露出部１２はシート本体１１の一部を切り取ることによって形成され、その切り取った部分が蓋部１３として使用される。
【００１４】
蓋部１３は、蓋部の接続手段１４によって、露出部１２を開閉可能なように、シート本体１１に取り付けられている。蓋部の接続手段１４は、露出部１２を開閉可能なように取り付けられていれば限定されない。蓋部１３は、例えば、金属製や樹脂製のリング状の接続部材でシート本体１１に取り付けられていてもよく、蝶番のような接続部材でシート本体１１に取り付けられていてもよく、紐や糸でシート本体１１に取り付けられていてもよい。
【００１５】
蓋部１３は、必ずしも蓋部の接続手段１４によってシート本体１１に取り付けられていなくてもよい。例えば、図２（Ｂ）に示すように、シート本体１１と蓋部１３とが分離していてもよい。図２（Ｂ）に示す浴槽用保温シート１の場合、非入浴時には、蓋部１３を露出部１２に嵌め込み露出部１２を塞いで使用し、入浴時には、蓋部１３を取り除いて露出部から頭を出して使用すればよい。
【００１６】
図１（Ａ）に示す浴槽用保温シート１は、シート本体１１に折り曲げ部１１ａが形成されている。折り曲げ部１１ａが形成されていることによって、浴槽用保温シート１をコンパクトに収納できる。図１に示す浴槽用保温シート１において折り曲げ部１１ａは、図１（Ｂ）に示すように、シート本体１１のほぼ中央部に切り込みを入れることによって形成される。図１（Ｂ）は、図１（Ａ）のＸ方向から見た側面図を示す。このような切り込みを入れることによって、図１（Ｃ）に示すように、２つに折り曲げて収納することができる。
【００１７】
本考案の他の実施形態に係る浴槽用保温シートを図３に示す。図３（Ａ）に示す浴槽用保温シート２において、シート本体２１、露出部２２、蓋部２３および蓋部の接続手段２４は、上述のシート本体１１、露出部１２、蓋部１３および蓋部の接続手段１４で説明した通りであり、詳細については省略する。
【００１８】
図３（Ａ）に示す浴槽用保温シート２において、シート本体２１に設けられた折り曲げ部２１ａは、図１（Ａ）に示す浴槽用保温シート１の折り曲げ部１１ａと異なる。シート本体２１に設けられた折り曲げ部２１ａは、シート本体２１のほぼ中央部を切断して、切断されたシート本体２１がバラバラにならないように、図３（Ｂ）に示すように接続リングで切断部を接続した構造を有している。図３（Ｂ）は、図３（Ａ）のＹ方向から見た側面図を示す。シート本体２１は、接続リングで固定されているわけではなく、図３（Ｃ）に示すように、接続面を軸に折り曲げて収納できるように接続されている。接続リングは、例えば金属や樹脂で形成されている。接続リングの代わりに、蝶番のような接続部材を使用してもよく、紐や糸を用いて接続してもよい。
【００１９】
図３（Ａ）に示す浴槽用保温シート２においても、図２（Ａ）に示す浴槽用保温シート１と同様、露出部２２は、シート本体２１に少なくとも１ヶ所設けられていればよい。さらに、蓋部２３についても、図２（Ｂ）に示す浴槽用保温シート１と同様、必ずしも蓋部の接続手段２４によってシート本体２１に取り付けられていなくてもよい。シート本体２１と蓋部２３とが分離していてもよい。
【００２０】
次に、本考案のさらに他の実施形態に係る浴槽用保温シートを図４に示す。図４（Ａ）に示す浴槽用保温シート３は、シート本体３１で形成されている。シート本体３１は、上述のシート本体１１で説明した通りであり、詳細については省略する。
【００２１】
図４（Ｂ）に示すように、シート本体３１の一方の主面に軟質性シート３５が積層されている。図４（Ｂ）は、図４（Ａ）のＺ方向から見た側面図を示す。軟質性シート３５は、軟質性を有する素材で形成されていれば限定されず、このような素材としては、例えば、ポリエチレン、ポリプロピレン、ポリエステル、ナイロンなどが挙げられる。
【００２２】
シート本体３１には、折り曲げ部３１ａとして、図４（Ｂ）に示すように複数の切り込みが形成されている。図４（Ａ）に示す浴槽用保温シート３は、この軟質性シート３５および複数の折り曲げ部３１ａによって、図４（Ｃ）に示すように筒状に折り曲げて収納することができる。
【００２３】
図４（Ａ）に示す浴槽用保温シート３において露出部３２は、シート本体３１の一部を、頭部が露出し得る大きさに切り取ることによって形成されている。露出部３２に相当する部分の軟質性シート３５については切り取らずに、放射状に複数の切り込みが形成されている。このような構造にすることによって、非入浴時には、露出部３２は軟質性シート３５で塞がれた状態になる。入浴時には、放射状の切り込み部分に首部を挿入することによって、頭部を露出させることができる。
【００２４】
図４（Ａ）に示す浴槽用保温シート３においても、図２（Ａ）に示す浴槽用保温シート１と同様、露出部３２は、シート本体３１に少なくとも１ヶ所設けられていればよい。
【００２５】
本考案に係る浴槽用保温シートは、高湿度である浴室で使用するため、カビが発生しやすく細菌も増殖しやすい。そのため、本考案に係る浴槽用保温シートには、水を染み込みにくくしたり、カビの発生や細菌の繁殖を抑制したりするために、撥水加工や防カビ・抗菌加工などが施されていてもよい。さらに、保温性をより向上させるため、本考案に係る浴槽用保温シートには、浴槽内の湯面との接触面にアルミ加工が施されていてもよい。アルミ加工としては、例えばアルミ箔の貼着やアルミ蒸着などが挙げられる。アルミ加工により、防カビ性や湯垢の付着防止性を付与することもできる。
【００２６】
本考案に係る浴槽用保温シートの大きさは、浴槽内の湯面に浮く大きさであれば限定されず、浴槽の規格に応じて適宜設定される。本考案に係る浴槽用保温シートの厚みについても、例えば使用する浮遊性素材に応じて適宜設定され、通常、１〜３０ｍｍ程度である。
【００２７】
以上のように、本考案に係る浴槽用保温シートは、簡便な構造であり、かつ非入浴時および入浴時にかかわらず、優れた保温性を発揮される。その結果、本考案に係る浴槽用保温シートを使用すると、追い焚きの必要性も少なくなり、省エネや光熱費の削減にも貢献できる。さらに、本考案に係る浴槽用保温シートは、身体を洗う際や洗髪する際には、浴室内の床に敷いて座ることもできる。
【符号の説明】
【００２８】
１、２、３    浴槽用保温シート
１１、２１、３１  シート本体
１１ａ、２１ａ、３１ａ  折り曲げ部
１２、２２、３２  露出部
１３、２３  蓋部
１４、２４  蓋部の接続手段
３５    軟質性シート
【図１】
0003219615.tif 000003
【図２】
0003219615.tif 000004
【図３】
0003219615.tif 000005
【図４】
0003219615.tif 000006